(57)【特許請求の範囲】
【請求項１】
複数のチューナと、前記複数のチューナのそれぞれにおいて選局されているチャンネルの映像データの一時記録を行う一時記録手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記チャンネル切り換え要求検出手段で新たなチャンネル切り換え要求が検出された場合に、前記新たなチャンネル切り換え要求の直前に視聴されているチャンネルの受信に使用されているチューナとは異なる他のチューナを用いて、前記新たなチャンネル切り換え要求の直前に視聴されているチャンネルの受信が行われるように制御するとともに、前記新たなチャンネル切り換え要求の直前に視聴されているチャンネルの受信に使用されているチューナを用いて、前記新たなチャンネル切り換え要求で指定されたチャンネルの受信が行われるように制御するチューナ選択制御手段とを、
有する映像データ記録再生制御装置。
【請求項２】
複数のチューナと、前記複数のチューナのそれぞれにおいて選局されているチャンネルの映像データの一時記録を行う一時記録手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記チャンネル切り換え要求検出手段で新たなチャンネル切り換え要求が検出された場合に、前記新たなチャンネル切り換え要求の直前に視聴されているチャンネルの受信に使用されているチューナとは異なる他のチューナが使用中か否かを判断し、前記他のチューナが未使用の場合には前記他のチューナを用いて、前記新たなチャンネル切り換え要求で指定されたチャンネルの受信が行われるように制御するチューナ選択制御手段とを、
有する映像データ記録再生制御装置。
【請求項３】
複数のチューナと、前記複数のチューナのそれぞれにおいて選局されているチャンネルの映像データの一時記録を行う一時記録手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記チャンネル切り換え要求検出手段で新たなチャンネル切り換え要求が検出された場合に、前回チャンネル切り換え要求が検出された時刻から前記新たなチャンネル切り換え要求が検出された時刻までの番組視聴時間を計測する番組視聴時間計測手段と、
前記番組視聴時間計測手段で計測された前記番組視聴時間が所定の時間以上の場合には、前記新たなチャンネル切り換え要求の直前に視聴されているチャンネルの受信に使用されているチューナとは異なる他のチューナを用いて、前記新たなチャンネル切り換え要求で指定されたチャンネルの受信が行われるように制御するチューナ選択制御手段とを、
有する映像データ記録再生制御装置。
【発明の詳細な説明】
【技術分野】
【０００１】
本発明は、光ディスクやハードディスクあるいは半導体メモリなどの大容量の記録媒体に対して映像データの記録及び再生を行う映像データ記録再生装置（以下、単に記録再生装置と呼ぶこともある）を制御する映像データ記録再生制御装置に関し、特に、ＴＶ（テレビジョン）放送における放送番組（テレビ番組）を通じて取得される映像データの記録及び再生を行う映像データ記録再生装置を制御する映像データ記録再生制御装置に関する。
【背景技術】
【０００２】
従来、放送番組などの映像（及び音声）のコンテンツの記録再生を行う記録再生装置としては、ビデオテープを用いたＶＴＲ（Video Tape Recorder：ビデオテープレコーダ）が知られているが、近年では、ＤＶＤ（Digital Versatile Disc）、ＨＤＤ（Hard Disk Drive：ハードディスクドライブ）、半導体メモリなどの大容量の記録媒体を用いて映像データの記録再生を行うＨＤＤレコーダやＤＶＤレコーダなどの記録再生装置が知られている。また、例えばハードディスクなどのランダムアクセス可能な記録媒体を用いた記録再生装置において、視聴者が所望の番組を録画しながら他の録画番組を再生（視聴）できるように構成されているものも存在する。
【０００３】
また、ハードディスクなどのランダムアクセス可能な大容量の記録媒体を用いることで、番組の録画中に、その番組の録画済みの部分の再生を行うことが可能なタイムシフト再生に類似する機能として、キャッシュ再生と呼ばれる機能も提案されている。
【０００４】
このキャッシュ再生では、所定容量（所定時間）を限度として、放送中の視聴番組を常に記録媒体に一時的に録画（キャッシュ）することで、ユーザが少し前のシーンからもう一度視聴したい場合などに、このキャッシュとして蓄えられている範囲内において、時間をさかのぼって再生できるようにする機能である。タイムシフト再生やキャッシュ再生に関しては、例えば、下記の各特許文献１〜４などにおいても開示されている。
【０００５】
下記の特許文献１には、タイムシフト再生やキャッシュ再生の再生対象の番組に、番組の区切れを設定する技術が開示されている。この特許文献１に開示されている技術によれば、ユーザは、キャッシュに録画されているデータの再生によって、何気なく視聴している番組において見逃してしまったシーンや特別にもう一度視聴し直したいと思うシーンを視聴することが可能となる。
【０００６】
また、下記の特許文献２、３には、複数のチューナを利用して、あるチャンネルの番組の視聴が行われている際に視聴者が一時的に他のチャンネルに切り換えた場合、チャンネル切り換え前の番組の録画が行われる技術が開示されている。また、下記の特許文献４には、ピクチャインピクチャ視聴システムにおいて、親画面と子画面との表示切り換え、及び各画面に表示される映像のキャッシュ再生の操作を行うためのリモコン（リモートコントローラ）を１つにまとめることによって、ユーザの利便性を向上させる技術が開示されている。これらの特許文献２〜４に開示されている技術によれば、放送信号を受信・選局するチューナを複数設けることによって、特定の番組を録画する一方で他の番組（上記の特定の番組の裏番組）を再生・視聴することが可能となる。
【０００７】
また、図９〜１１には、ユーザ要求、チューナ状態、一時記録を行う対象チャンネル、一時記録の再生状態、モニタに表示される対象チャンネル（表示状態）のそれぞれの時間的な関係を模式的に示すタイミングチャートが図示されている。以下、図９〜１１を参照しながら、従来の技術に係る動作の一例について説明する。
【０００８】
なお、以下では、任意の時刻ｔαに行われる各動作、又は任意の時刻ｔαの状態を表す場合、時刻をパラメータとした関数によって表記する場合もある。すなわち、例えば、時刻ｔ１において、ユーザによってＣｈ１へのチャンネル切り換え要求（Ｃｈ１選択操作）が行われた場合には、Ｕ（ｔ１）＝Ｃｈ１と表記することがあり、時刻ｔ４において、モニタにＣｈ４のチャンネル表示が開始された場合には、Ｄ（ｔ４）＝Ｃｈ４と表記することがある。
【０００９】
まず、図９を参照しながら、従来の技術に係る動作の第１の例について説明する。図９に図示されているタイミングチャートには、基本的に、ユーザがチャンネル切り換えを行った場合に、このチャンネル切り換えに連動してチューナが切り換わるとともに、チューナによる受信信号を一時記録装置が記録する場合の一例が図示されている。なお、図９には、図面の左から右方向に時刻（ｔ）の流れが示されており、図面の縦方向には、ユーザ要求：Ｕ、チューナ状態：Ｔｕ、一時記録を行う対象チャンネル：Ｃ、一時記録データの再生状態：Ｐ、モニタに表示される対象チャンネル（表示状態）：Ｄの各項目が配置されている。
【００１０】
図９において、時刻ｔ７０におけるユーザの操作Ｕ（ｔ７０）＝電源オン（ＰＷ ＯＮ）の後、ユーザが指示するチャンネル切り換え要求Ｕ（ｔ７１）＝Ｃｈ１、Ｕ（ｔ７２）＝Ｃｈ３、Ｕ（ｔ７３）＝Ｃｈ４、Ｕ（ｔ７４）＝Ｃｈ１に対して、チューナはその要求に応じて随時Ｔｕ（ｔ７１）＝Ｃｈ１、Ｔｕ（ｔ７２）＝Ｃｈ３、Ｔｕ（ｔ７３）＝Ｃｈ４、Ｔｕ（ｔ７４）＝Ｃｈ１のように、チャンネルの切り換えを行う。
【００１１】
また、これにより、このチューナによってチューニングされているチャンネルの番組を記録する一時記録の対象チャンネルも、Ｃ（ｔ７１）＝Ｃｈ１、Ｃ（ｔ７２）＝Ｃｈ３、Ｃ（ｔ７３）＝Ｃｈ４、Ｃ（ｔ７４）＝Ｃｈ１となる。また、モニタ表示もユーザ要求に追従して、Ｄ（ｔ７１）＝Ｃｈ１、Ｄ（ｔ７２）＝Ｃｈ３、Ｄ（ｔ７３）＝Ｃｈ４、Ｄ（ｔ７４）＝Ｃｈ１となる。
【００１２】
次に、時刻ｔ７５において、ユーザが一時記録装置に記録されたデータを再生する要求Ｕ（ｔ７５）＝再生を行った場合、一時記録データの再生状態は、一時記録装置に記録されている番組の再生映像を出力するＰ（ｔ７５）＝再生（例えば、時刻ｔ７４以降に一時記録されているＣｈ１の番組）となって、表示状態Ｄ（ｔ７５）＝再生（例えば、時刻ｔ７４以降に一時記録されているＣｈ１の番組）となる。
【００１３】
一方、一時記録装置では、継続してＣｈ１の番組の録画が行われる。すなわち、一時記録装置は、ユーザが選局したチューナの映像データをそのまま記録する。そして、時刻ｔ７７においてユーザがチャンネルをＣｈ４に切り換えるチャンネル切り換え要求Ｕ（ｔ７７）＝Ｃｈ４を行った場合には、再び、このユーザ要求に応じて、チューナ状態Ｔｕ（ｔ７７）＝Ｃｈ４、一時記録状態Ｃ（ｔ７７）＝Ｃｈ４、表示状態Ｄ（ｔ７７）＝Ｃｈ４となり、一時記録データの再生状態Ｐ（ｔ７７）＝停止となる。
【００１４】
続いて、図１０を参照しながら、従来の技術に係る動作の第２の例について説明する。図１０に図示されているタイミングチャートにおいても、図９に図示されているタイミングチャートと同様に、ユーザが選局したチャンネルがそのまま記録される場合の一例が図示されている。なお、図１０には、図面の左から右方向に時刻（ｔ）の流れが示されており、図面の縦方向には、ユーザ要求：Ｕ、チューナ状態：Ｔｕ、一時記録を行う対象チャンネル：Ｃ、所定の録画装置の録画状態：Ｒ、モニタに表示される対象チャンネル（表示状態）：Ｄの各項目が配置されている。
【００１５】
図１０において、時刻ｔ８０におけるユーザの操作Ｕ（ｔ８０）＝電源オン（ＰＷ ＯＮ）の後、ユーザが指示するチャンネル切り換え要求Ｕ（ｔ８１）＝Ｃｈ１、Ｕ（ｔ８２）＝Ｃｈ３、Ｕ（ｔ８３）＝Ｃｈ４、Ｕ（ｔ８４）＝Ｃｈ１に対して、チューナはその要求に応じて随時Ｔｕ（ｔ８１）＝Ｃｈ１、Ｔｕ（ｔ８２）＝Ｃｈ３、Ｔｕ（ｔ８３）＝Ｃｈ４、Ｔｕ（ｔ８４）＝Ｃｈ１のように、チャンネルの切り換えを行う。
【００１６】
また、これにより、このチューナによってチューニングされているチャンネルの番組を記録する一時記録の対象チャンネルも、Ｃ（ｔ８１）＝Ｃｈ１、Ｃ（ｔ８２）＝Ｃｈ３、Ｃ（ｔ８３）＝Ｃｈ４、Ｃ（ｔ８４）＝Ｃｈ１となる。また、表示状態もユーザ要求に追従して、Ｄ（ｔ８１）＝Ｃｈ１、Ｄ（ｔ８２）＝Ｃｈ３、Ｄ（ｔ８３）＝Ｃｈ４、Ｄ（ｔ８４）＝Ｃｈ１となる。
【００１７】
次に、時刻ｔ８５において、ユーザが一時記録装置に記録されたデータを他の記録媒体に記録（録画）する要求Ｕ（ｔ８５）＝録画を行った場合、一時記録装置に記録されている番組の録画が開始される。すなわち、ユーザによる録画要求によって、所定の録画装置の録画状態Ｒ（ｔ８５）＝録画（例えば、時刻ｔ８４以降に一時記録されているＣｈ１の番組）となり、一時記録装置に記録されたデータが、所定の録画装置に出力されて記録媒体に記録される。
【００１８】
その後、例えば、ユーザが指示するチャンネル切り換え要求Ｕ（ｔ８６）＝Ｃｈ４、Ｕ（ｔ８７）＝Ｃｈ１に連動して、チューナ状態Ｔｕ（ｔ８６）＝Ｃｈ４、Ｔｕ（ｔ８７）＝Ｃｈ１となるとともに、表示状態Ｄ（ｔ８６）＝Ｃｈ４、Ｄ（ｔ８７）＝Ｃｈ１となる一方、所定の録画装置は、一時記録装置に記録されているデータを他の記録媒体に録画する動作を継続して行い、その結果、所定の録画装置の状態は、時刻ｔ８６のチャンネル切り換えに対応して、Ｒ（ｔ８８）＝Ｃｈ４となり、時刻ｔ８７のチャンネル切り換えに対応して、Ｒ（ｔ８９）＝Ｃｈ１となる。
【００１９】
続いて、図１１を参照しながら、従来の技術に係る動作の第３の例について説明する。図１１に図示されているタイミングチャートには、２つのチューナを利用して、チューナのチャンネル切り換え動作及び一時記録動作が行われる場合の一例が図示されている。なお、図１１には、図面の左から右方向に時刻（ｔ）の流れが示されており、図面の縦方向には、ユーザ要求：Ｕ、チューナ１のチューナ状態：Ｔｕ１、チューナ２のチューナ状態：Ｔｕ２、チューナ１に対応する一時記録動作：Ｃ１、一時記録装置によって記録されたデータの再生状態Ｐ１、モニタに表示される対象チャンネル（表示状態）：Ｄの各項目が配置されている。
【００２０】
図１１において、ユーザが時刻ｔ９０においてチャンネル切り換え要求Ｕ（ｔ９０）＝Ｃｈ６を行った場合、この要求に応じて、一方のチューナ（チューナ１）の状態がＴｕ１（ｔ９０）＝Ｃｈ６となって、ユーザの指示に従ってチャンネルを合わせる。また、表示状態もユーザの指示に従って、Ｄ（ｔ９０）＝Ｃｈ６となる。また、ユーザが時刻ｔ９１においてチャンネル切り換え要求Ｕ（ｔ９１）＝Ｃｈ１を行った場合も同様に、Ｔｕ１（ｔ９１）＝Ｃｈ１、Ｄ（ｔ９１）＝Ｃｈ１となる。
【００２１】
ここで、時刻ｔ９２において、ユーザがこのチャンネル（Ｃｈ１）を一応記録しておこうと思い、一時記録要求Ｕ（ｔ９２）＝記録を行ったとする。この場合、一時記録装置は、このチューナ１のチャンネル（Ｃｈ１）番組の一時記録動作Ｃ１（ｔ９２）＝Ｃｈ１を開始する。
【００２２】
この状態のときに、ユーザがチャンネル切り換え要求Ｕ（ｔ９３）＝Ｃｈ３、Ｕ（ｔ９４）＝Ｃｈ４を行った場合には、チューナ１の選局及び一時記録装置の一時記録動作はそのまま継続される一方、もう一方のチューナ２で、Ｔｕ２（ｔ９３）＝Ｃｈ３、Ｔｕ２（ｔ９４）＝Ｃｈ１のように選局が行われ、表示状態もこのユーザ操作に連動して、Ｄ（ｔ９３）＝Ｃｈ３、Ｄ（ｔ９４）＝Ｃｈ４となる。
【００２３】
これによって、ユーザが特定のチャンネルの番組の一時記録を指示した場合には、その後のチャンネルの選局及びモニタ表示は、別のチューナによって行われ、番組の録画（一時記録）中であっても、他の番組の視聴が可能となる。
【００２４】
また、時刻ｔ９５において、ユーザが一時記録装置に記録されたデータを再生する要求Ｕ（ｔ９５）＝再生を行った場合、一時記録データの再生状態は、一時記録装置に記録されている番組の再生映像を出力するＰ１（ｔ９５）＝再生（例えば、時刻ｔ９３以降に一時記録されているＣｈ１の番組）となって、表示状態Ｄ（ｔ９５）＝再生（例えば、時刻ｔ９３以降に一時記録されているＣｈ１の番組）となる。
【００２５】
この後の動作は、ユーザやメーカ側の設定によって様々であるが、例えば、ユーザが時刻ｔ９６で一時記録データの再生停止を要求した場合（Ｕ（ｔ９７）＝再生停止）には、一時記録データの再生状態Ｐ１（ｔ９７）＝停止（例えば、時刻ｔ９７におけるＣｈ１の番組で停止）となるとともに、表示状態Ｄ（ｔ９７）＝Ｃｈ４となる。また、ユーザによる別のチャンネル選局Ｕ（ｔ９８）＝Ｃｈ８に対してチューナ２がＴｕ２（ｔ９８）＝Ｃｈ８となるとともに、Ｄ（ｔ９８）＝Ｃｈ８となる。さらに、Ｕ（ｔ９９）＝Ｃｈ１のように、ユーザがＣｈ１の選局を行った場合には、Ｐ１（ｔ９９）＝再生（時刻ｔ９７以降のＣｈ１の番組（一時記録データ）の再生）が再開され、Ｄ（ｔ９９）＝再生（Ｃｈ１の一時記録データ）となる。
【特許文献１】特開２００２−１００１６２号公報（段落０００３〜０００６、００３５〜００３７）
【特許文献２】特開２００２−５１２９０号公報（図２〜４）
【特許文献３】特開２００３−５２００１号公報（段落００２８、図１）
【特許文献４】特開２００４−７２４４９号公報（段落００８２〜００８４、図１）
【発明の開示】
【発明が解決しようとする課題】
【００２６】
しかしながら、特許文献１に開示されている技術では、キャッシュ再生を可能にするキャッシュ録画は視聴中の番組を記録するものであるため、ユーザが選局した視聴チャンネルに依存して、視聴中の映像データがキャッシュされることになる。このため、キャッシュ機能を十分に活用するためには、ユーザは、チャンネルの切り換えをむやみ行わないことが望ましい。すなわち、チャンネル切り換えの激しいユーザにとっては、キャッシュ機能を十分に活用することはできないという問題がある。
【００２７】
また、特許文献２、３に開示されている技術では、複数のチャンネルのうちのどのチャンネルで放送されている番組をキャッシュ録画の対象番組とするかに関しては、ユーザの意思によって選択される必要がある。したがって、ユーザは、キャッシュされる番組を意識する必要があり、キャッシュ録画機能に本来求められている「何気なく視聴している番組に対してのキャッシュ記録」という観点においては、決して十分なものであるとは言えないという問題がある。
【００２８】
また、特許文献４に開示されている技術では、親画面において再生されている番組の録画を固定チャンネル録画の対象とすることで、特定の番組（親画面に表示される番組）のチャンネルを固定して録画しながら、他のチャンネルの選局、再生が可能となるが、上述の特許文献２、３と同様に、ユーザは、親画面及び子画面の関係によってキャッシュ録画の対象番組を決める必要がある。さらに、特許文献４に開示されている技術は、親画面及び子画面を利用していない全画面表示（１画面表示）による番組視聴に対応しておらず、全画面表示の際には、特許文献２、３に開示されている技術と同様に、ユーザは、何らかの方法によって、キャッシュ録画の対象番組を選択しなければならないという問題がある。
【００２９】
上記の問題に鑑み、本発明は、ユーザが何気なく視聴している番組から他の番組へ視聴チャンネルを切り換えた後に、当初何気なく視聴していた番組に視聴チャンネルを戻した際に大切なシーンを見逃してしまっていた場合などにおいて、他の番組の視聴期間であっても、何気なく視聴していた番組を継続してキャッシュ録画する映像データ記録再生制御装置を提供することを目的とする。
【課題を解決するための手段】
【００３０】
上記の目的を達成するため、本発明の第１の態様によれば、複数のチューナと、前記複数のチューナのそれぞれにおいて選局されているチャンネルの映像データの一時記録を行う一時記録手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記チャンネル切り換え要求検出手段で新たなチャンネル切り換え要求が検出された場合に、前記新たなチャンネル切り換え要求の直前に視聴されているチャンネルの受信に使用されているチューナとは異なる他のチューナを用いて、前記新たなチャンネル切り換え要求の直前に視聴されているチャンネルの受信が行われるように制御するとともに、前記新たなチャンネル切り換え要求の直前に視聴されているチャンネルの受信に使用されているチューナを用いて、前記新たなチャンネル切り換え要求で指定されたチャンネルの受信が行われるように制御するチューナ選択制御手段とを、
有する映像データ記録再生制御装置。
【００３１】
また、上記の目的を達成するため、本発明の第２の態様によれば、複数のチューナと、前記複数のチューナのそれぞれにおいて選局されているチャンネルの映像データの一時記録を行う一時記録手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記チャンネル切り換え要求検出手段で新たなチャンネル切り換え要求が検出された場合に、前記新たなチャンネル切り換え要求の直前に視聴されているチャンネルの受信に使用されているチューナとは異なる他のチューナが使用中か否かを判断し、前記他のチューナが未使用の場合には前記他のチューナを用いて、前記新たなチャンネル切り換え要求で指定されたチャンネルの受信が行われるように制御するチューナ選択制御手段とを、
有する映像データ記録再生制御装置。
【００３２】
また、上記の目的を達成するため、本発明の第３の態様によれば、複数のチューナと、前記複数のチューナのそれぞれにおいて選局されているチャンネルの映像データの一時記録を行う一時記録手段とを有した映像データ記録再生装置の動作制御を行う映像データ記録再生制御装置であって、
ユーザが視聴を行うチャンネルを指定するチャンネル切り換え要求を検出するチャンネル切り換え要求検出手段と、
前記チャンネル切り換え要求検出手段で検出された前記チャンネル切り換え要求に基づき、前記複数のチューナのうちのいずれか１つの選局制御を行うとともに、前記選局制御がされたチューナが受信している映像データを所定の表示装置に出力する制御を行うチューナ制御手段と、
前記チャンネル切り換え要求検出手段で新たなチャンネル切り換え要求が検出された場合に、前回チャンネル切り換え要求が検出された時刻から前記新たなチャンネル切り換え要求が検出された時刻までの番組視聴時間を計測する番組視聴時間計測手段と、
前記番組視聴時間計測手段で計測された前記番組視聴時間が所定の時間以上の場合には、前記新たなチャンネル切り換え要求の直前に視聴されているチャンネルの受信に使用されているチューナとは異なる他のチューナを用いて、前記新たなチャンネル切り換え要求で指定されたチャンネルの受信が行われるように制御するチューナ選択制御手段とを、  有する映像データ記録再生制御装置が提供される。
【発明の効果】
【００３３】
上述の本発明の第１の態様によれば、ユーザがチャンネルを切り換えた場合、視聴に利用されているチューナによって、ユーザによるチャンネル切り換え要求に応じた選局が行われるとともに、視聴に利用されていないチューナによって、ユーザがチャンネル切り換え要求を行う直前に視聴していたチャンネルの受信及び一時記録が行われるようになる。
【００３４】
また、上述の本発明の第２の態様によれば、ユーザがチャンネルを切り換えた場合、複数のチューナ（録画などによって使用中のチューナを除く）が交互にチャンネル切り換え要求に対応して、ユーザがチャンネル切り換え要求を行う直前に視聴していたチャンネルの受信及び一時記録が行われるようになる。
【００３５】
また、上述の本発明の第３の態様によれば、ユーザがチャンネル切り換え直前に所定の時間以上視聴していたチャンネルの番組を、一時記録の対象として最も適切な番組とし、この番組の一時記録動作を自動的に行うことが可能となる。
【発明を実施するための最良の形態】
【００３６】
以下、図面を参照しながら、本発明の第１〜第３の実施の形態について説明する。まず、本発明の第１〜第３の実施の形態において用いられる記録再生装置の構成の一例について説明する。図１は、本発明の第１〜第３の実施の形態において用いられる記録再生装置の構成の概略を示すブロック図であり、図２は、本発明の第１〜第３の実施の形態において用いられる記録再生装置の記録処理部及び制御部によって実現される機能の一例を示すブロック図である。
【００３７】
図１に図示されている記録再生装置５０は、アンテナや外部機器（他の再生装置）などから供給される入力信号を受けて、その信号に含まれるデータ（映像データ）を記録媒体に記録する機能や、記録媒体に記録されているデータを読み出して、ＴＶなどの表示装置や他の記録装置などにデータを再生して出力する機能を有している。なお、記録再生装置５０は、予約設定された時刻やチャンネルに基づいて放送番組の録画を行う機能や、番組を一時的に記録し再生を行う一時記録機能及びキャッシュ再生機能も有している。
【００３８】
上記の機能を実現するため、図１に図示されている記録再生装置５０は、外部（アンテナや他の再生装置など）から供給される入力信号を受ける外部機器入力部１と、選局機能を備えた第１放送受信部（チューナ１）２及び第２放送受信部（チューナ２）３と、外部機器入力部１や第１及び第２放送受信部２、３などから供給される入力信号を記録するための記録媒体を有する記録処理部４と、記録再生装置５０の動作状況やユーザによる操作状況などを表示する表示パネルなどの表示部５と、この記録再生装置５０をリモコンなどのユーザインターフェースを通して操作を可能とするためのユーザ制御部６と、外部機器入力部１や第１及び第２放送受信部２、３などから供給される入力信号や記録媒体から読み出された信号を、外部（表示装置や他の録画装置など）に対して出力する外部機器出力部７と、各構成要素の動作制御を行う制御部８とを有している。
【００３９】
また、図１に図示されている記録再生装置５０の記録処理部４及び制御部８は、図２に図示されている機能を実現する。図２において、外部機器入力部１や第１及び第２放送受信部２、３から供給される入力信号は、その後の処理の対象となる信号を少なくとも１つ以上選択するための信号選択部９に送られ、信号の選択が行われる。処理の対象として選択された信号は、記録信号処理部１０によって圧縮処理（例えばＭＰＥＧ（Moving Picture Experts Group）方式）などの記録信号処理が行われる。
【００４０】
そして、この記録信号処理部１０による記録信号処理後のデータは、記録制御部１１及び記録媒体管理部１２の制御によって、主に第１及び第２放送受信部２、３で受信された放送信号を一時的にキャッシュする一時記録部１３、１４や、長期的に映像の保存を行う記録媒体１５に送られて記録（録画）される。一時記録部１３、１４は、例えばＨＤＤによって実現され、記録媒体１５は、例えばＨＤＤやＤＶＤによって実現される。
【００４１】
なお、図２では、一時記録部１３、１４、記録媒体１５は、それぞれ独立して図示されているが、１つのハードウェアによって実現することも可能である。すなわち、一時記録部１３、１４、記録媒体１５はそれぞれ個別のハードウェアによって実現されてもよく、あるいは、高速アクセスが可能な大容量記録装置（例えばＨＤＤなど）の記録領域を割り当てたり、個別のファイルとして格納したりすることによって、１つの大容量記録装置で実現されてもよい。
【００４２】
また、一時記録部１３、１４、記録媒体１５に記録されているデータの再生時には、記録媒体管理部１２の制御によって、例えばユーザ制御部６（図１参照）から指示された映像データが、適切な一時記録部１３、１４、記録媒体１５から読み出される。そして、記録媒体管理部１２によって読み出されたデータは、再生制御部１６の制御によって再生信号処理部１７に送られて伸長処理（例えばＭＰＥＧ伸長）などの再生信号処理が行われる。再生信号処理部１７による再生信号処理後のデータは、表示制御部１８の制御によって、ディスプレイ表示処理部１９による処理（例えば、オンスクリーンディスプレイ処理など）の後、外部機器への出力信号として外部機器出力部７（図１参照）に出力される。
【００４３】
また、図２に図示されているように、予約録画のスケジュールなどが記載された予約録画設定テーブルの管理や予約録画の開始指示／終了指示などを行う予約録画制御部２０、日時管理や計時機能などを有するシステムタイマ部２１も実現される。
【００４４】
また、図２には、システム全体の機能を実現するために各機能ブロックを制御するシステム制御部２２も図示されている。なお、後述する本発明の各種機能も、このシステム制御部２２において制御される。
【００４５】
なお、図１及び図２では、記録再生装置５０の各機能をブロックによって表現しているが、これらの機能は、ソフトウェア及び／又はハードウェアによって実現可能である。特に、情報の処理を行うブロックの機能は、コンピュータに搭載されたＣＰＵ（Central Processing Unit：中央演算処理装置）によるプログラムの実行によって実現可能である。
【００４６】
次に、上述の図１及び図２に図示されている記録再生装置５０によって実現可能な各種機能について説明する。
【００４７】
＜第１の実施の形態＞
まず、図３、図４を参照しながら、本発明の第１の実施の形態について説明する。図３は、本発明の第１の実施の形態における記録再生装置の動作の一例を示すタイミングチャートである。
【００４８】
図３には、図１に図示されているように、２つの第１及び第２放送受信部（チューナ１、２）２、３を有し、各チューナ１、２からの信号をそれぞれ自動で一時記録するための一時記録機能（キャッシュ機能）を実装している記録再生装置の動作が図示されている。なお、図３には、図面の左から右方向に時刻（ｔ）の流れが示されており、図面の縦方向には、ユーザ要求：Ｕ、チューナ１の状態：Ｔｕ１、チューナ２の状態：Ｔｕ２、チューナ１の一時記録動作：Ｃ１、チューナ２の一時記録動作：Ｃ２、モニタに表示する対象チャンネル（表示状態）：Ｄの各項目が配置されている。
【００４９】
図３において、記録再生装置は、例えば電源投入時から一時記録機能が動作するように構成されている。すなわち、時刻ｔ０におけるユーザの操作Ｕ（ｔ０）＝電源オン（ＰＷ ＯＮ）と同時に、チューナ１及びチューナ２の一時記録動作が始動する。
【００５０】
続いて行われるユーザによるチャンネル切り換え要求Ｕ（ｔ１）＝Ｃｈ１、Ｕ（ｔ２）＝Ｃｈ３、Ｕ（ｔ３）＝Ｃｈ４、Ｕ（ｔ４）＝Ｃｈ６、Ｕ（ｔ５）＝Ｃｈ４、Ｕ（ｔ６）＝Ｃｈ１、Ｕ（ｔ７）＝Ｃｈ６に対して、チューナ１は、その要求に応じて随時Ｔｕ１（ｔ１）＝Ｃｈ１、Ｔｕ１（ｔ２）＝Ｃｈ３、Ｔｕ１（ｔ３）＝Ｃｈ４、Ｔｕ１（ｔ４）＝Ｃｈ６、Ｔｕ１（ｔ５）＝Ｃｈ４、Ｔｕ１（ｔ６）＝Ｃｈ１、Ｔｕ１（ｔ７）＝Ｃｈ６のように、チャンネルの切り換えを行う。また、このチューナ１の一時記録の対象チャンネルもユーザのチャンネル切り換え要求に連動して、Ｃ１（ｔ１）＝Ｃｈ１、Ｃ１（ｔ２）＝Ｃｈ３、Ｃ１（ｔ３）＝Ｃｈ４、Ｃ１（ｔ４）＝Ｃｈ６、Ｃ１（ｔ５）＝Ｃｈ４、Ｃ１（ｔ６）＝Ｃｈ１、Ｃ１（ｔ７）＝Ｃｈ６となり、モニタ表示もユーザのチャンネル切り換え要求に追従して、Ｄ（ｔ１）＝Ｃｈ１、Ｄ（ｔ２）＝Ｃｈ３、Ｄ（ｔ３）＝Ｃｈ４、Ｄ（ｔ４）＝Ｃｈ６、Ｄ（ｔ５）＝Ｃｈ４、Ｄ（ｔ６）＝Ｃｈ１、Ｄ（ｔ７）＝Ｃｈ６となる。すなわち、チューナ１は、ユーザのチャンネル切り換え要求に対応して、ユーザが視聴するチャンネルの受信を行う視聴用チューナであると言える。
【００５１】
一方、チューナ２は、ユーザがチャンネル切り換え要求の指示を行う直前に視聴していたチャンネルを選局し、このチャンネルの番組が一時記録されるように動作を行う。すなわち、チューナ２は、図３に矢印によって示されているように、ユーザがチャンネルを切り換える直前に視聴していたチャンネルを引き継ぐ形で、Ｔｕ２（ｔ２）＝Ｃｈ１、Ｔｕ２（ｔ３）＝Ｃｈ３、Ｔｕ２（ｔ４）＝Ｃｈ４、Ｔｕ２（ｔ５）＝Ｃｈ６、Ｔｕ２（ｔ６）＝Ｃｈ４、Ｔｕ２（ｔ７）＝Ｃｈ１となる。また、この動作に追従して、チューナ２の一時記録動作も、Ｃ２（ｔ２）＝Ｃｈ１、Ｃ２（ｔ３）＝Ｃｈ３、Ｃ２（ｔ４）＝Ｃｈ４、Ｃ２（ｔ５）＝Ｃｈ６、Ｃ２（ｔ６）＝Ｃｈ４、Ｃ２（ｔ７）＝Ｃｈ１となる。すなわち、すなわち、チューナ２は、ユーザがチャンネル切り換え要求の直前まで視聴していたチャンネルの受信を行う一時記録用チューナであると言える。
【００５２】
これにより、ユーザがチャンネル切り換え直前に視聴していたチャンネルの番組を、一時記録の対象として最も適切な番組とし、この番組の一時記録動作を自動的に行うことが可能となる。
【００５３】
次に、図４を参照しながら、本発明の第１の実施の形態における記録再生装置で行われる処理について説明する。図４は、本発明の第１の実施の形態における記録再生装置の処理の一例を示すフローチャートである。なお、以下では、説明を簡素化するためにチャンネル切り換え及び一時記録動作に係る処理についてのみ説明する。
【００５４】
図４に示すように、記録再生装置は電源がオンになるとシステムを順次起動する。その一環として、ステップＳ１０１でチューナ１、２を起動し、ステップＳ１０２でチューナ１で選局されている受信データ（番組）の一時記録動作を自動的に開始し、ステップＳ１０３で選局されたチャンネルの番組（あるいは、記録媒体に記録されている映像）をＴＶなどの表示モニタに出力する。
【００５５】
また、記録再生装置は、ステップＳ１０４において、ユーザからのチャンネル切り換え要求の入力をチェックする。ステップＳ１０４でチャンネル切り換え要求が検出されない場合には、ステップＳ１０３に戻って、モニタに映像を表示しながら、チャンネル切り換え要求の入力監視状態となる。一方、ユーザからのチャンネル切り換え要求が検出された場合には、ステップＳ１０５に進む。
【００５６】
ステップＳ１０４でチャンネル切り換え要求が検出された場合には、ステップＳ１０５において、視聴に利用されていないチューナ２は、視聴中のチャンネルと同一チャンネル（すなわち、チューナ１で選局されているチャンネル）に選局を切り換える。この処理によって、チューナ１で選局され一時記録されていたチャンネルは、チューナ２に引き継がれることになる。
【００５７】
また、ステップＳ１０６において、現在視聴に利用されているチューナ１が、ステップＳ１０４でチャンネル切り換え要求によって指示されたチャンネルを選局し、ステップＳ１０３に戻ってチューナ１で選局された番組を表示モニタに出力し、上述の動作を繰り返す。この処理によって、ユーザによるチャンネル切り換え要求は、チューナ１によって対応されることになる。
【００５８】
以上、説明したように、本発明の第１の実施の形態によれば、ユーザがチャンネルを切り換えた場合、視聴に利用されているチューナ１によって、ユーザによるチャンネル切り換え要求に応じた選局が行われるとともに、視聴に利用されていないチューナ２によって、ユーザがチャンネル切り換え要求を行う直前に視聴していたチャンネルの受信及び一時記録が行われるようになる。
【００５９】
＜第２の実施の形態＞
まず、図５、図６を参照しながら、本発明の第２の実施の形態について説明する。図５は、本発明の第２の実施の形態における記録再生装置の動作の一例を示すタイミングチャートである。
【００６０】
図５には、図１に図示されているように、２つの第１及び第２放送受信部（チューナ１、２）２、３を有し、各チューナ１、２からの信号をそれぞれ自動で一時記録するための一時記録機能（キャッシュ機能）を実装している記録再生装置の動作が図示されている。なお、図５には、図面の左から右方向に時刻（ｔ）の流れが示されており、図面の縦方向には、ユーザ要求：Ｕ、チューナ１の状態：Ｔｕ１、チューナ２の状態：Ｔｕ２、チューナ１の一時記録動作：Ｃ１、チューナ２の一時記録動作：Ｃ２、モニタに表示する対象チャンネル（表示状態）：Ｄの各項目が配置されている。
【００６１】
図５において、記録再生装置は、例えば電源投入時から一時記録機能が動作するように構成されている。すなわち、時刻ｔ１０におけるユーザの操作Ｕ（ｔ１０）＝電源オン（ＰＷ ＯＮ）と同時に、チューナ１及びチューナ２の一時記録動作が始動する。
【００６２】
続いて行われるユーザによるチャンネル切り換え要求Ｕ（ｔ１１）＝Ｃｈ１に対しては、チューナ１が、その要求に応じてＴｕ１（ｔ１１）＝Ｃｈ１のようにチャンネル切り換えを行う。また、このチューナ１の一時記録の対象チャンネルもユーザのチャンネル切り換え要求に連動して、Ｃ１（ｔ１１）＝Ｃｈ１となり、モニタ表示もユーザのチャンネル切り換え要求に追従して、Ｄ（ｔ１１）＝Ｃｈ１となる。
【００６３】
さらに、ユーザが次のチャンネル切り換え要求Ｕ（ｔ１２）＝Ｃｈ３を行った場合には、今度はチューナ２がその要求に応じて、Ｔｕ２（ｔ１２）＝Ｃｈ３のようにチャンネル切り換えを行う。また、このチューナ２の一時記録の対象チャンネルもユーザのチャンネル切り換え要求に連動して、Ｃ２（ｔ１２）＝Ｃｈ３となり、モニタ表示もユーザのチャンネル切り換え要求に追従して、Ｄ（ｔ１２）＝Ｃｈ３となる。
【００６４】
以降、上記の動作と同様に、チューナ１及びチューナ２によって交互にユーザによるチャンネル切り換え要求に対する対応が行われる。すなわち、時刻ｔ１３〜ｔ１７にユーザによって行われるチャンネル切り換え要求に対して、時刻ｔ１３、ｔ１５、ｔ１７のチャンネル切り換え要求に対してはチューナ１による選局が行われ、時刻ｔ１４、ｔ１６のチャンネル切り換え要求に対してはチューナ２による選局が行われる。
【００６５】
すなわち、ユーザによるチャンネル切り換え要求Ｕ（ｔ１３）＝Ｃｈ４、Ｕ（ｔ１５）＝Ｃｈ４、Ｕ（ｔ１７）＝Ｃｈ６のそれぞれに対して、チューナ１の状態はＴｕ１（ｔ１３）＝Ｃｈ４、Ｔｕ１（ｔ１５）＝Ｃｈ４、Ｔｕ１（ｔ１７）＝Ｃｈ６となり、チューナ１の一時記録動作はＣ１（ｔ１３）＝Ｃｈ４、Ｃ１（ｔ１５）＝Ｃｈ４、Ｃ１（ｔ１７）＝Ｃｈ６となり、モニタ表示はＤ（ｔ１３）＝Ｃｈ４、Ｄ（ｔ１５）＝Ｃｈ４、Ｄ（ｔ１７）＝Ｃｈ６となる。なお、時刻ｔ１５の前後では、チューナ１は同一チャンネルにチャンネル切り換えを行うことになり、実質的には、チューナ１の選局がそのまま維持されることになる。
【００６６】
また、ユーザによるチャンネル切り換え要求Ｕ（ｔ１４）＝Ｃｈ６、Ｕ（ｔ１６）＝Ｃｈ１のそれぞれに対して、チューナ２の状態はＴｕ２（ｔ１４）＝Ｃｈ６、Ｔｕ２（ｔ１６）＝Ｃｈ１となり、チューナ２の一時記録動作はＣ２（ｔ１４）＝Ｃｈ６、Ｃ２（ｔ１６）＝Ｃｈ１となり、モニタ表示はＤ（ｔ１４）＝Ｃｈ６、Ｄ（ｔ１６）＝Ｃｈ１となる。
【００６７】
これにより、上述の第１の実施の形態と同様に、ユーザがチャンネル切り換え直前に視聴していたチャンネルの番組を、一時記録の対象として最も適切な番組とし、この番組の一時記録動作を自動的に行うことが可能となる。
【００６８】
次に、図６を参照しながら、本発明の第２の実施の形態における記録再生装置で行われる処理について説明する。図６は、本発明の第２の実施の形態における記録再生装置の処理の一例を示すフローチャートである。なお、以下では、説明を簡素化するためにチャンネル切り換え及び一時記録動作に係る処理についてのみ説明する。
【００６９】
図６に示すように、記録再生装置は電源がオンになるとシステムを順次起動する。その一環として、ステップＳ２０１でチューナ１、２を起動し、ステップＳ２０２でチューナ１で選局されている受信データ（番組）の一時記録動作を自動的に開始し、ステップＳ２０３で選局されたチャンネルの番組（あるいは、記録媒体に記録されている映像）をＴＶなどの表示モニタに出力する。
【００７０】
また、記録再生装置は、ステップＳ２０４において、ユーザからのチャンネル切り換え要求の入力をチェックする。ステップＳ２０４でチャンネル切り換え要求が検出されない場合には、ステップＳ２０３に戻って、モニタに映像を表示しながら、チャンネル切り換え要求の入力監視状態となる。一方、ユーザからのチャンネル切り換え要求が検出された場合には、ステップＳ２０７に進む。
【００７１】
ステップＳ２０４でチャンネル切り換え要求が検出された場合には、ステップＳ２０７において、視聴に利用されていないチューナが使用中の状態か、あるいは未使用の状態かのチェックを行う。なお、例えば、チェック対象のチューナが録画に使用されている状態の場合は、このチューナは使用中であると判断され、単に任意のチャンネルを選局及び受信している状態などの場合には、このチューナは未使用の状態であると判断される。
【００７２】
ステップＳ２０７で視聴に利用されていないチューナが未使用の状態であると判断された場合、ステップＳ２０８において、このチューナによって、ステップＳ２０４で入力されたチャンネル切り換え要求の対象チャンネルの選局（さらには、一時記録動作及び表示）が行われる。なお、チャンネル切り換え要求前に視聴のために利用されていたチューナでは、そのままチャンネル切り換え要求前に選局しているチャンネルの受信及び一時記録が行われる。これにより、ユーザがチャンネル切り換え直前に視聴していたチャンネルの番組の一時記録は継続して行われることになる。
【００７３】
そして、ステップＳ２０９において、チャンネル切り換え要求に対応したチューナのチャンネルを表示モニタへの出力チャンネルとするように出力選択スイッチを切り換え、ステップＳ２０３に戻ってチューナ２で選局された番組を表示モニタに出力し、上述の動作を繰り返す。
【００７４】
一方、ステップＳ２０７で視聴に利用されていないチューナが使用中の状態であると判断された場合には、ステップＳ２１０において、現在視聴に利用されているチューナ１が、ステップＳ２０４でチャンネル切り換え要求によって指示されたチャンネルを選局し、ステップＳ２０３に戻ってチューナ１で選局された番組を表示モニタに出力し、上述の動作を繰り返す。
【００７５】
以上、説明したように、本発明の第２の実施の形態によれば、ユーザがチャンネルを切り換えた場合、複数のチューナ（録画などによって使用中のチューナを除く）が交互にチャンネル切り換え要求に対応することにより、ユーザがチャンネル切り換え要求を行う直前に視聴していたチャンネルの受信及び一時記録が行われるようになる。
【００７６】
＜第３の実施の形態＞
まず、図７、図８を参照しながら、本発明の第３の実施の形態について説明する。図７は、本発明の第２の実施の形態における記録再生装置の動作の一例を示すタイミングチャートである。
【００７７】
図７には、図１に図示されているように、２つの第１及び第２放送受信部（チューナ１、２）２、３を有し、各チューナ１、２からの信号をそれぞれ自動で一時記録するための一時記録機能（キャッシュ機能）を実装している記録再生装置の動作が図示されている。なお、図７には、図面の左から右方向に時刻（ｔ）の流れが示されており、図面の縦方向には、ユーザ要求：Ｕ、チューナ１の状態：Ｔｕ１、チューナ２の状態：Ｔｕ２、チューナ１の一時記録動作：Ｃ１、チューナ２の一時記録動作：Ｃ２、モニタに表示する対象チャンネル（表示状態）：Ｄの各項目が配置されている。
【００７８】
なお、図７において、時刻ｔ２１から時刻ｔ２２までの時間Ｔ１、時刻ｔ２２から時刻ｔ２３までの時間Ｔ２、時刻ｔ２３から時刻ｔ２４までの時間Ｔ３、時刻ｔ２４から時刻ｔ２５までの時間Ｔ４、時刻ｔ２５から時刻ｔ２６までの時間Ｔ５、時刻ｔ２６から時刻ｔ２７までの時間Ｔ６、時刻ｔ２７から時刻ｔ２８までの時間Ｔ７、時刻ｔ２８から時刻ｔ２９までの時間Ｔ８、時刻ｔ２９から時刻ｔ３０までの時間Ｔ９、時刻ｔ３０から時刻ｔ３１までの時間Ｔ１０が図示されている。これらの各時間Ｔ１〜Ｔ１０の長さの関係は、基準となる所定の時間Ｔ０に対して、Ｔ５、Ｔ７〜Ｔ１０がＴ０よりも短く、Ｔ１〜Ｔ４、Ｔ６がＴ０よりも長いものとする。
【００７９】
図７において、記録再生装置は、例えば電源投入時から一時記録機能が動作するように構成されている。すなわち、時刻ｔ２０におけるユーザの操作Ｕ（ｔ２０）＝電源オン（ＰＷ ＯＮ）と同時に、チューナ１及びチューナ２の一時記録動作が始動する。
【００８０】
まず、時刻ｔ２１におけるユーザによるチャンネル切り換え要求Ｕ（ｔ２１）＝Ｃｈ１に対しては、チューナ１が、その要求に応じてＴｕ１（ｔ２１）＝Ｃｈ１のようにチャンネル切り換えを行う。また、このチューナ１の一時記録の対象チャンネルもユーザのチャンネル切り換え要求に連動して、Ｃ１（ｔ２１）＝Ｃｈ１となり、モニタ表示もユーザのチャンネル切り換え要求に追従して、Ｄ（ｔ２１）＝Ｃｈ１となる。
【００８１】
また、記録再生装置は、チャンネル切り換え要求が行われた場合には、前回のチャンネル切り換え要求から今回のチャンネル切り換え要求までの時間を計測するとともに、計測された時間と所定の時間Ｔ０との比較を行って、その比較結果に応じたチューナの選択を行うことができるように構成されている。
【００８２】
例えば、時刻ｔ２２において、ユーザによるチャンネル切り換え要求Ｕ（ｔ２２）＝Ｃｈ３が行われた場合、前回のチャンネル切り換え要求の時刻ｔ２１と、今回のチャンネル切り換え要求ｔ２２との間の時間Ｔ１が、所定の時間Ｔ０よりも長いことが把握される。そして、所定の時間Ｔ０以上視聴が行われていたチャンネルでは、ユーザが興味を示している番組が放送されていると判断され、その結果、チャンネル切り換え要求前にユーザが視聴していたチャンネルに関して、一時記録動作が継続して行われるように、今回のチャンネル切り換え要求に対しては別のチューナによる選局及び一時記録動作が行われる。
【００８３】
すなわち、時刻ｔ２２におけるユーザによるチャンネル切り換え要求Ｕ（ｔ２２）＝Ｃｈ３に対しては、チューナ２がその要求に応じて、Ｔｕ２（ｔ２２）＝Ｃｈ３のようにチャンネル切り換えを行う。また、このチューナ２の一時記録の対象チャンネルもユーザのチャンネル切り換え要求に連動して、Ｃ２（ｔ２２）＝Ｃｈ３となり、モニタ表示もユーザのチャンネル切り換え要求に追従して、Ｄ（ｔ２２）＝Ｃｈ３となる。
【００８４】
また、同様に、時刻ｔ２３〜ｔ２５におけるユーザのチャンネル切り換え要求Ｕ（ｔ２３）＝Ｃｈ４、Ｕ（ｔ２４）＝Ｃｈ６、Ｕ（ｔ２５）＝Ｃｈ３に関しても、各チャンネルの視聴時間Ｔ２、Ｔ３、Ｔ４が所定の時間Ｔ０より長いため、視聴中だったチャンネルの受信及び一時記録動作が継続されるとともに、チャンネル切り換え要求への対応が別のチューナによって行われる。すなわち、時刻ｔ２３では、Ｔｕ１（ｔ２３）＝Ｃｈ４、Ｃ１（ｔ２３）＝Ｃｈ４、Ｄ（ｔ２３）＝Ｃｈ４となり、時刻ｔ２４では、Ｔｕ２（ｔ２４）＝Ｃｈ６、Ｃ２（ｔ２４）＝Ｃｈ６、Ｄ（ｔ２４）＝Ｃｈ６となり、時刻ｔ２５では、Ｔｕ１（ｔ２５）＝Ｃｈ３、Ｃ１（ｔ２５）＝Ｃｈ３、Ｄ（ｔ２５）＝Ｃｈ３となる。
【００８５】
一方、例えば、時刻ｔ２６において、ユーザによるチャンネル切り換え要求Ｕ（ｔ２６）＝Ｃｈ４が行われた場合には、前回のチャンネル切り換え要求の時刻ｔ２５と、今回のチャンネル切り換え要求ｔ２６との間の時間Ｔ５が、所定の時間Ｔ０よりも短いことが把握される。この場合、所定の時間Ｔ０より短い視聴しか行われなかったチャンネルは、ユーザが興味を持たなかった番組が放送されていると判断され、その結果、ユーザの視聴に利用されているチューナが、チャンネル切り換え要求に応じた選局及び一時記録動作を行う。
【００８６】
すなわち、時刻ｔ２６におけるユーザによるチャンネル切り換え要求Ｕ（ｔ２６）＝Ｃｈ４に対しては、視聴に利用されていたチューナ１がその要求に応じて、Ｔｕ１（ｔ２６）＝Ｃｈ４のようにチャンネル切り換えを行う。また、このチューナ１の一時記録の対象チャンネルもユーザのチャンネル切り換え要求に連動して、Ｃ１（ｔ２６）＝Ｃｈ４となり、モニタ表示もユーザのチャンネル切り換え要求に追従して、Ｄ（ｔ２６）＝Ｃｈ４となる。
【００８７】
さらに、時刻ｔ２７においては、時間Ｔ６（所定の時間Ｔ０以上）の視聴の後にチャンネル切り換え要求Ｕ（ｔ２７）＝Ｃｈ６が行われており、チューナ２がこのチャンネル切り換え要求に対応する。その結果、Ｔｕ２（ｔ２７）＝Ｃｈ６（ただし、既にチューナ２はＣｈ６を選局している）、Ｃ２（ｔ２７）＝Ｃｈ６、Ｄ（ｔ２７）＝Ｃｈ６となる。
【００８８】
以降、時刻ｔ２８〜ｔ３１におけるユーザによるチャンネル切り換え要求Ｕ（ｔ２８）＝Ｃｈ１、Ｕ（ｔ２９）＝Ｃｈ６、Ｕ（ｔ３０）＝Ｃｈ４、Ｕ（ｔ３１）＝Ｃｈ８はすべて所定の時間Ｔ０より短い視聴しか行われなかった後に行われているものである。したがって、基本的には視聴中のチャンネルを受信しているチューナ２が、チャンネル切り換え要求に対応する。
【００８９】
ただし、図７に図示されているように、時刻ｔ３０におけるユーザによるチャンネル切り換え要求Ｕ（ｔ３０）＝Ｃｈ４に対しては、チューナ１がＣｈ４を選局していることから、チューナ１及びチューナ２の選局を変更せずに、チューナ１が用いられることが望ましい。また、時刻ｔ３１においては、本来、ユーザはＣｈ４の番組に興味がないと判断されるべきであるが、その時点以前で最後に連続視聴時間が基準となる所定の時間Ｔ０を超えた時刻ｔ２６〜時刻ｔ２７において選局されたチャンネルであり、それゆえ、チューナ１ではＣｈ４の一時記録動作が時刻ｔ２６以降の時間Ｔ１１の間で継続されている。つまり、これは、時刻ｔ２７、ｔ２８、ｔ２９、ｔ３０、ｔ３１におけるチャンネル切り換え要求は、ユーザが時刻ｔ２６で選局したチャンネル（Ｃｈ４）を視聴しているときに他のチャンネルを回遊していると判断され、時刻ｔ３０〜時刻ｔ３１の間におけるチューナ１でのＣｈ４の視聴が所定の時間Ｔ０以下であるが、時刻ｔ３１におけるチャンネル切り換え要求に対してはチューナ２が用いられることが望ましい。
【００９０】
すなわち、時刻ｔ２８〜ｔ３１において、時刻ｔ２８では、Ｔｕ２（ｔ２８）＝Ｃｈ１、Ｃ２（ｔ２８）＝Ｃｈ１、Ｄ（ｔ２８）＝Ｃｈ１となり、時刻ｔ２９では、Ｔｕ２（ｔ２９）＝Ｃｈ６、Ｃ２（ｔ２９）＝Ｃｈ６、Ｄ（ｔ２９）＝Ｃｈ６となり、時刻ｔ３０ではチューナ１の選局が利用されてＤ（ｔ３０）＝Ｃｈ４となり、時刻ｔ３１では、Ｔｕ２（ｔ３１）＝Ｃｈ８、Ｃ２（ｔ３１）＝Ｃｈ８、Ｄ（ｔ３１）＝Ｃｈ８となる。
【００９１】
これにより、ユーザがチャンネル切り換え直前に所定の時間Ｔ０以上視聴していたチャンネルの番組を、一時記録の対象として最も適切な番組とし、この番組の一時記録動作を自動的に行うことが可能となる。
【００９２】
次に、図８を参照しながら、本発明の第３の実施の形態における記録再生装置で行われる処理について説明する。図８は、本発明の第３の実施の形態における記録再生装置の処理の一例を示すフローチャートである。なお、以下では、説明を簡素化するためにチャンネル切り換え及び一時記録動作に係る処理についてのみ説明する。
【００９３】
図８に示すように、記録再生装置は電源がオンになるとシステムを順次起動する。その一環として、ステップＳ３０１でチューナ１、２を起動し、ステップＳ３０２でチューナ１で選局されている受信データ（番組）の一時記録動作を自動的に開始し、ステップＳ３１１で視聴時間を計測するためのタイマをリセット及びスタートさせるとともに、ステップＳ３０３で選局されたチャンネルの番組（あるいは、記録媒体に記録されている映像）をＴＶなどの表示モニタに出力する。
【００９４】
また、記録再生装置は、ステップＳ３０４において、ユーザからのチャンネル切り換え要求の入力をチェックする。ステップＳ３０４でチャンネル切り換え要求が検出されない場合には、ステップＳ３０３に戻って、モニタに映像を表示しながら、チャンネル切り換え要求の入力監視状態となる。一方、ユーザからのチャンネル切り換え要求が検出された場合には、ステップＳ３０７に進む。
【００９５】
ステップＳ３０４でチャンネル切り換え要求が検出された場合には、ステップＳ３０７において、視聴に利用されていないチューナが使用中の状態か、あるいは未使用の状態かのチェックを行う。なお、例えば、チェック対象のチューナが録画（ここで言う録画とは、例えば予約録画のようなユーザが意図した録画などである）に使用されている状態の場合は、このチューナは使用中であると判断され、単に任意のチャンネルを選局及び受信している状態などの場合には、このチューナは未使用の状態であると判断される。
【００９６】
ステップＳ３０７で視聴に利用されていないチューナが未使用の状態であると判断された場合、ステップＳ３１２において、チャンネル切り換え要求の直前に視聴されているチャンネルの視聴時間のチェックが行われる。なお、このチェックでは、図７における時間Ｔ１〜Ｔ１０のそれぞれが所定の時間Ｔ０よりも長いか否かのチェックが行われる。そして、チャンネル切り換え要求の直前に視聴されているチャンネルの視聴時間が所定の時間Ｔ０よりも長い場合にはステップＳ３０８に進む。
【００９７】
一方、ステップＳ３１２でチャンネル切り換え要求の直前に視聴されているチャンネルの視聴時間が所定の時間Ｔ０以下の場合にはステップＳ３１３に進み、ステップＳ３１３において、視聴に利用されていないチューナのチャンネルと要求チャンネルとが同一か否かのチェックが行われる。
【００９８】
なお、視聴に利用されていないチューナのチャンネルと要求チャンネルとが同一の場合は、例えば図７における時刻ｔ３０におけるチャンネル切り換え要求に相当し、この場合にはステップＳ３０９に進んで、ステップＳ３０９において、チャンネル切り換え要求に対応したチューナ（視聴に利用されていないチューナ）のチャンネルを表示モニタへの出力チャンネルとするように出力選択スイッチを切り換え、ステップＳ３１１に戻って上述の動作を繰り返す。
【００９９】
また、ステップＳ３１３で視聴に利用されていないチューナのチャンネルと要求チャンネルとが同一ではない場合には、ステップＳ３１４において、それ以前で最後に連続視聴時間が所定の時間Ｔ０を超えたときのチューナと現時点での視聴利用チューナとが同一か否かがチェックされる。ここで、これらのチューナが同一の場合（例えば、図７において時刻ｔ３１のチャンネル切り換え要求時には、それまでチューナ１でＣｈ４が視聴されており、それ以前で所定の時間Ｔ０を超える連続視聴が最後に発生したとき（時刻ｔ２６〜時刻ｔ２７の間）のチューナが同一の場合）にはステップＳ３０８に進み、チューナが異なる場合にはステップＳ３１０に進む。
【０１００】
ステップＳ３０８では、視聴に利用されていないチューナによって、ステップＳ３０４で入力されたチャンネル切り換え要求の対象チャンネルの選局（さらには、一時記録動作及び表示）が行われる。なお、チャンネル切り換え要求前に視聴のために利用されていたチューナでは、そのままチャンネル切り換え要求前に選局しているチャンネルの受信及び一時記録が行われる。そして、ステップＳ３０９において、チャンネル切り換え要求に対応したチューナ（視聴に利用されていないチューナ）のチャンネルを表示モニタへの出力チャンネルとするように出力選択スイッチを切り換え、ステップＳ３１１に戻って上述の動作を繰り返す。これにより、ユーザがチャンネル切り換え直前に視聴していたチャンネルの番組の一時記録は継続して行われることになる。
【０１０１】
また、ステップＳ３１０では、現在視聴に利用されているチューナ１が、ステップＳ３０４でチャンネル切り換え要求によって指示されたチャンネルを選局し、ステップＳ３１１に戻って上述の動作を繰り返す。
【０１０２】
以上、説明したように、本発明の第３の実施の形態によれば、ユーザがチャンネル切り換え直前に所定の時間Ｔ０以上視聴していたチャンネルの番組を、一時記録の対象として最も適切な番組とし、この番組の一時記録動作を自動的に行うことが可能となる。
【０１０３】
なお、上述の各実施の形態におけるフローチャートの各ステップの処理は一例であり、本発明は、上述の各実施の形態におけるフローチャートに係る方法に限定されず、他の方法によって実現されてもよい。また、上述の各実施の形態におけるフローチャートの各ステップの処理は一例であり、図１に図示されている記録処理部４や制御部８、図２に図示されているシステム制御部２２、あるいはその他の任意の機能実現ユニットはプログラムを実行することによって実現可能である。また、上述のように、図１及び図２に図示されている構成は、ハードウェア及び／又はソフトウェアによって実現されるものであり、上述の各実施の形態におけるフローチャートの各ステップの処理は、実行されるハードウェア及び／又はソフトウェアに適した処理に変更されることが望ましい。また、本明細書では、記録再生装置が２つのチューナを有する場合を一例として説明しているが、３つ以上のチューナを有する場合においても本発明は実現可能である。
【産業上の利用可能性】
【０１０４】
本発明の映像データ記録再生制御装置は、ユーザが、何気なく視聴している番組から他の番組へ視聴チャンネルを切り換えた後に、当初何気なく視聴していた番組に視聴チャンネルを戻した際に大切なシーンを見逃してしまっていた場合などにおいて、他の番組の視聴期間であっても、何気なく視聴していた番組を継続してキャッシュ録画することを可能とし、映像データ（特に、ＴＶ放送における放送番組を通じて取得される映像データ）の記録再生技術や複数のチューナを利用したキャッシュ機能に係る技術に適用可能である。
【図面の簡単な説明】
【０１０５】
【図１】本発明の第１〜第３の実施の形態において用いられる記録再生装置の構成の概略を示すブロック図である。
【図２】本発明の第１〜第３の実施の形態において用いられる記録再生装置の記録処理部及び制御部によって実現される機能の一例を示すブロック図である。
【図３】本発明の第１の実施の形態における記録再生装置の動作の一例を示すタイミングチャートである。
【図４】本発明の第１の実施の形態における記録再生装置の処理の一例を示すフローチャートである。
【図５】本発明の第２の実施の形態における記録再生装置の動作の一例を示すタイミングチャートである。
【図６】本発明の第２の実施の形態における記録再生装置の処理の一例を示すフローチャートである。
【図７】本発明の第３の実施の形態における記録再生装置の動作の一例を示すタイミングチャートである。
【図８】本発明の第３の実施の形態における記録再生装置の処理の一例を示すフローチャートである。
【図９】従来の技術に係る動作の第１の例を示すタイミングチャートである。
【図１０】従来の技術に係る動作の第２の例を示すタイミングチャートである。
【図１１】従来の技術に係る動作の第３の例を示すタイミングチャートである。
【符号の説明】
【０１０６】
１  外部機器入力部
２  第１放送受信部（チューナ１）
３  第２放送受信部（チューナ２）
４  記録処理部
５  表示部
６  ユーザ制御部
７  外部機器出力部
８  制御部
９  信号選択部
１０  記録信号処理部
１１  記録制御部
１２  記録媒体管理部
１３、１４  一時記録部
１５  記録媒体
１６  再生制御部
１７  再生信号処理部
１８  表示制御部
１９  ディスプレイ表示処理部
２０  予約録画制御部
２１  システムタイマ部
２２  システム制御部
５０  記録再生装置
【図１】
0004461440.tif 000002
【図２】
0004461440.tif 000003
【図３】
0004461440.tif 000004
【図４】
0004461440.tif 000005
【図５】
0004461440.tif 000006
【図６】
0004461440.tif 000007
【図７】
0004461440.tif 000008
【図８】
0004461440.tif 000009
【図９】
0004461440.tif 000010
【図１０】
0004461440.tif 000011
【図１１】
0004461440.tif 000012